(57)【特許請求の範囲】
【請求項１】
光源部と、前記光源部の前側に中心軸が前記光源部の中心光軸と同軸になるように配置される略円筒状のフードと、を備え、
前記フードの前端に照射口が設けられており、
前記フードの内周面には、その周方向に延びた複数のグレア抑制用突条が前記フードの中心軸方向に並列状に設けられており、
前記フードは、その周方向に複数の分割片に分割されるとともに、前記複数の分割片が略円筒状に組み合わされて構成されており、
前記各突条の断面形状は三角形状であり、
前記各突条の前斜面の傾斜角は、前記フードの内周面の後端から前記各突条までの距離が長くなるのに従って漸次減小しており、
前記複数の突条のピッチは、前記フードの内周面の後端から前方へ進む方向において漸次増大している照明器具。
【請求項２】
前記複数の分割片が略円筒状に組み合わされた状態でフードの外周面を構成するフード外筒体に内嵌されている請求項１記載の照明器具。
【請求項３】
前記複数の分割片が前記フード外筒体によって略円筒状に組み合わされた状態に保持されている請求項２記載の照明器具。
【請求項４】
前記フードの外周面が前記フードの前端から後方へ進む方向において内側に傾斜したテーパ面に形成されており、
前記フード外筒体の内周面が前記フードの外周面に対応するように傾斜したテーパ面に形成されている請求項３記載の照明器具。
【請求項５】
前記フードの前記複数の突条の頂稜部位置の内径は互いに等しく設定されている請求項１〜４のいずれかに記載の照明器具。
【請求項６】
前記各突条の前斜面は、前記光源部から出射した直接光が当たらないように傾斜しており、
前記各突条の後斜面は、前記光源部から出射した直接光が前記光源部側に向かって反射するように傾斜している請求項５記載の照明器具。
【請求項７】
請求項１〜６のいずれかに記載の照明器具のフードを射出成形により製造する照明器具の製造方法。
【発明の詳細な説明】
【技術分野】
【０００１】
本発明は、フードを備えたスポットライト等の照明器具及びその製造方法に関する。
【０００２】
なお、本発明に係る照明器具の前後方向は限定されるものではないが、本明細書及び特許請求の範囲では、照明器具の構成を理解し易くするため、照明器具から光が照射される方向を照明器具の前方向、その反対方向を照明器具の後方向と定義する。
【背景技術】
【０００３】
照明器具として例えばスポットライトは、その前端部に筒状の合成樹脂製フードがその中心軸がスポットライトの中心光軸と同軸になるように配置されている。フードの前端には、スポットライトに搭載された光源部の光を照光対象物に照射する照射口が形成されている。
【０００４】
フードの内周面には、光源部からのグレアを抑制するための複数の突条が設けられている。例えば特許第４４３１４３８号公報（特許文献１）に開示されたスポットライトでは、照光スポット径調整部の照射口側の筒状部の内周面にその周方向に延びた複数のグレア抑制用突条が筒状部の中心軸方向に並列状に設けられている。
【先行技術文献】
【特許文献】
【０００５】
【特許文献１】特許第４４３１４３８号公報（図１、図２）
【発明の概要】
【発明が解決しようとする課題】
【０００６】
而して、フードは、その生産性を高めるため、金型を用いた製造方法（例：射出成形）により製造されることが望ましい。しかしながら、内周面にその周方向に延びた複数のグレア抑制用突条がフードの中心軸方向に並列状に設けられているフードを金型を用いた製造方法により製造する場合は、金型のコア部をフードの内側から抜くための抜き勾配をフードの内周面に付ける必要があった。そのため、フードの形状に制約を受けていた。
【０００７】
そこで本発明は、内周面にその周方向に延びた複数のグレア抑制用突条が中心軸方向に並列状に設けられた筒状のフードを備えた照明器具であって、フードを製造できるようにするためのフードの形状に制約を受けにくくすることをその解決課題とする。また本発明は、そのようなフードを備えた照明器具の製造方法であって、フードの生産性を高くすることをその解決課題とする。
【課題を解決するための手段】
【０００８】
本発明は以下の手段を提供する。
【０００９】
［１］  光源部と、前記光源部の前側に配置される筒状のフードと、を備え、
前記フードの前端に照射口が設けられており、
前記フードの内周面には、その周方向に延びた複数のグレア抑制用突条が前記フードの中心軸方向に並列状に設けられており、
前記フードは、その周方向に複数の分割片に分割されるとともに、前記複数の分割片が筒状に組み合わされて構成されている照明器具。
【００１０】
［２］  前記複数の分割片が筒状に組み合わされた状態でフードの外周面を構成するフード外筒体に内嵌されている前項１記載の照明器具。
【００１１】
［３］  前記フードは略円筒状であり且つその中心軸が前記光源部の中心光軸と同軸になるように配置されるものであり、
前記各突条の断面形状は三角形状であり、
前記フードの前記複数の突条の頂稜部位置の内径は互いに等しく設定されている前項１又は２記載の照明器具。
【００１２】
［４］  前記各突条の前斜面は、前記光源部から出射した直接光が当たらないように傾斜しており、
前記各突条の後斜面は、前記光源部から出射した直接光が前記光源部側に向かって反射するように傾斜している前項３記載の照明器具。
【００１３】
［５］  前記フードは略円筒状であり且つその中心軸が前記光源部の中心光軸と同軸になるように配置されるものであり、
前記各突条の断面形状は三角形状であり、
前記各突条の前斜面の傾斜角は、前記フードの内周面の後端から前記各突条までの距離が長くなるのに従って漸次減小しており、
前記複数の突条のピッチは、前記フードの内周面の後端から前方へ進む方向において漸次増大している前項１〜４のいずれかに記載の照明器具。
【００１４】
［６］  前項１〜５のいずれかに記載の照明器具のフードを射出成形により製造する照明器具の製造方法。
【発明の効果】
【００１５】
本発明は以下の効果を奏する。
【００１６】
前項［１］では、フードは、その周方向に複数の分割片に分割されるとともに、複数の分割片が筒状に組み合わされて構成されているので、フードを製造できるようにするためのフードの形状に制約を受けにくくすることができる。
【００１７】
前項［２］では、複数の分割片が筒状に組み合わされた状態でフード外筒体に内嵌されているので、フードが不慮に分解されるのを防止できる。
【００１８】
前項［３］では、フードの複数の突条の頂稜部位置の内径が互いに等しく設定されているフードであっても、これを例えば射出成形により容易に製造することができ、これによりフードの生産性を高めることができる。さらに、フードの肉厚を薄く設定することができ、そのため、フードの軽量化、材料コストの削減、放熱性の向上などを図りうる。
【００１９】
前項［４］では、各突条の断面形状は三角形状であり、各突条の前斜面は光源部から出射した直接光が当たらないように傾斜しており、各突条の後斜面は光源部から出射した直接光が光源部側に向かって反射するように傾斜しているので、各突条の前斜面を光りにくくすることができるし、各突条の後斜面で反射する反射光のフード内周面への照り返しを抑制することができる。これにより、照明器具を目立たなくすることができる。
【００２０】
前項［５］では、各突条の前斜面の傾斜角はフードの内周面の後端から各突条までの距離が長くなるのに従って漸次減小しており、複数の突条のピッチはフードの内周面の後端から前方へ進む方向において漸次増大していることにより、光源部からのグレアの抑制状態を維持しつつ突条の数（特にフードの照射口に近い突条の数）を減らすことができる。これにより、突条の頂稜部で反射する線状反射光で照明器具が目立つようになることを確実に抑制することができる。
【００２１】
前項［６］では、前項［１］〜［５］のいずれかに記載の照明器具のフードを射出成形により製造することにより、フードの生産性を高めることができる。
【図面の簡単な説明】
【００２２】
【図１】図１は、本発明の一実施形態に係る照明器具としてのスポットライトを使用状態で示す側面図である。
【図２】図２は、同スポットライトのスポットライト本体からフードを取り外した状態の斜視図である。
【図３】図３は、同フードをフード本体とフード外筒体とに分離した状態で示す斜視図である。
【図４】図４は、同スポットライトのフード及びその近傍の断面図である。
【発明を実施するための形態】
【００２３】
次に、本発明の一実施形態について図面を参照して以下に説明する。
【００２４】
図１において符号「１」は、本発明の一実施形態に係る照明器具としてのスポットライトである。
【００２５】
スポットライト１は、スポットライト本体（照明器具本体）２、円筒状のフード１１、支持アーム２０などを備えており、例えば、天井３０、壁等の取付け場所に固定されたダクトレール３１に支持アーム２０を介してスポットライト本体２が取り付けられて使用されるものである。
【００２６】
支持アーム２０は、スポットライト本体２の照明方向が上下左右に変更可能になるようにスポットライト本体２を支持するものである。
【００２７】
スポットライト本体２は、図１及び４に示すように、光源部４、リフレクタ７等を搭載した光源部搭載部２Ａと、光源部搭載部２Ａの後側に配置されるとともに光源部搭載部２Ａを支持した支持部２Ｂと、支持部２Ｂの後側に配置されて支持部２Ｂと連結されるとともに調光制御部（図示せず）等を搭載した制御部搭載部２Ｃとを備えている。
【００２８】
図４に示すように、光源部４は、面状光源本体５と、光源本体５の光を前方へ出射させるレンズ（例：スポット配光型レンズ）６とを光源ユニットとして備えている。光源本体５は、例えば、複数のＬＥＤチップを搭載したＣＯＢ光源からなる。レンズ６は光源本体５の前側近傍に配置されており略半球状に形成されている。
【００２９】
リフレクタ７は、光源部４から出射した光を前方へ反射させるためのものであり、前側に開口した略碗状のものであり、光源部４を包囲する状態にして光源部４から前側に配置されている。換言すると、光源部４はリフレクタ７内の最奥部に配置されている。リフレクタ７の内周面は鏡面で形成されている。
【００３０】
光源部搭載部２Ａにおいて、光源部４及びリフレクタ７は、スポットライト本体２（詳述すると光源部搭載部２Ａ）の外周面を構成する円筒状の外筒体３の内側に配置されている。
【００３１】
スポットライト本体の外筒体３の前端部には外筒体３の外径と同径の円環状の取付けリング８が配置されている。取付けリング８は、スポットライト本体２（光源部搭載部２Ａ）の前端部にフード１１を取外し可能に取り付けうるようにするためのものである。
【００３２】
取付けリング８の後端には取付けリング８の外径よりも若干小径のねじ筒部９が後方に突出して一体形成されている。ねじ筒部９の外周面には雄ねじ９ａが形成されており、スポットライト本体の外筒体３の前端部の内周面には雌ねじ３ａが形成されている。そして、スポットライト本体の外筒体３の前端部の内側にて雌ねじ３ａと雄ねじ９ａが螺合することにより、スポットライト本体の外筒体３の前端部に取付けリング８が取外し可能に取り付けられている。
【００３３】
フード１１は、図３及び４に示すように、フード１１の内周面を構成するフード内筒体としての略円筒状のフード本体１２と、フード１１の外周面を構成する略円筒状のフード外筒体１７とを備えている。
【００３４】
フード本体１２は、硬質の合成樹脂製であり射出成形により製造されたものである。フード本体１２の少なくとも内周面１２ａは黒色であり、これにより、光源部４から出射した光のフード本体内周面１２ａでの反射を抑制しうるものとなされている。本実施形態ではフード本体１２の全体が黒色である。
【００３５】
フード本体１２の内周面１２ａは、光源部４からのグレアを抑制するためのバッフル形状に形成されている。詳述すると、フード本体１２の内周面１２ａには、その周方向の全周に亘って延びた複数のグレア抑制用突条１３がフード本体１２の内周面１２ａの前後方向の略全体に亘ってフード本体１２（フード１１）の中心軸方向に並列状に形成されている。
【００３６】
そして、フード本体１２は、図３に示すように、その周方向に均等に二つの同形及び同寸の分割片１５、１５に分割されており（その分割面Ｓ）、詳述すると、フード本体１２はフード本体１２（フード１１）の中心軸Ｑ１を通る分割平面で二つの分割片１５、１５に分割されている。
【００３７】
さらに、両分割片１５、１５は円筒状に互いに組み合わされた状態でフード外筒体１７にその前端開口から嵌脱可能に且つ両分割片１５、１５の外周面全体を覆う状態に内嵌されており、これにより、両分割片１５はフード外筒体１７によって円筒状に組み合わされた状態に保持されている。さらに、フード外筒体１７に設けられた係合部（図示せず）と両分割片１５、１５にそれぞれ設けられた係合部（図示せず）とが互いに係脱可能に係合することにより、フード本体１２（両分割片１５、１５）のフード外筒体１７への内嵌状態が保持されている。
【００３８】
ここで、フード本体１２の外周面はフード本体１２の前端から後方へ進む方向において内側に極僅かに傾斜したテーパ面に形成されており、またフード外筒体１７の内周面はフード本体１２の外周面に対応するように極僅かに傾斜したテーパ面に形成されている。これにより、フード本体１２のフード外筒体１７への内嵌を容易に且つ確実に行い得るようになっている。
【００３９】
スポットライト本体の外筒体３と取付けリング８とフード外筒体１７はいずれも合成樹脂や金属製などであり、不透光性を有している。さらに、それら（３、８、１７）の外径は同径であり且つそれらの外周面は同色で且つ同じ表面処理が施されている。
【００４０】
図４に示すように、フード本体１２は、フード外筒体１７に内嵌された状態のままで、フード本体１２の中心軸Ｑ１が光源部４の中心光軸Ｑ０と同軸上になるようにリフレクタ７の前側（即ち光源部４の前側）に配置されるとともに、この状態でフード外筒体１７（フード１１）がスポットライト本体の外筒体３の前端部に取付けリング８を介して取外し可能に取り付けられている。
【００４１】
すなわち、図２及び３に示すように、フード外筒体１７の後端にはフード外筒体１７の外径よりも若干小径の係合筒部１８が後方に突出して一体形成されている。係合筒部１８の外周面には第１係合部１８ａが形成されている。取付けリング８の内周面には第１係合部１８ａに対応する第２係合部（図示せず）が形成されている。そして、フード外筒体１７の係合筒部１８が取付けリング８に内嵌されるとともに係合筒部１８の第１係合部１８ａと取付けリング８の第２係合部とが互いに係脱可能に係合することにより、フード外筒体１７が取付けリング８に取外し可能に取り付けられている。
【００４２】
このようにして、フード１１（フード外筒体１７及びフード本体１２）が取付けリング８を介してスポットライト本体の外筒体３の前端部に取外し可能に取り付けられている。
【００４３】
図４に示すように、フード本体１２において、各突条１３の断面形状は、フード本体１２の内側へ突出した三角形状である。各突条１３は、突条１３の頂稜部１３ｃから前側に形成された前斜面１３ａと頂稜部１３ｃから後側に形成された後斜面１３ｂとを有しており、頂稜部１３ｃは前斜面１３ａと後斜面１３ｂとの境界位置に配置されている。
【００４４】
さらに、フード本体１２の複数の突条１３の頂稜部１３ｃ位置の内径ＩＤは互いに等しく設定されている。
【００４５】
各突条１３において、突条１３の前斜面１３ａは、光源部４から出射した直接光４０が当たらないように傾斜しており、詳述すると、光源部４から出射した全ての直接光４０が突条１３の延びる方向（即ちフード本体１２の内周面１２ａの周方向）の全体に亘って当たらないように傾斜している。つまり、フード本体１２の中心軸Ｑ１方向（光源部４の中心光軸Ｑ０方向）に対する各突条１３の前斜面１３ａの傾斜角θは、光源部４から出射した全ての直接光４０の各突条前斜面１３ａへの入射角が突条１３の延びる方向の全体に亘って０°以下（特に好ましい範囲は−１０°以上０°以下）になるように設定されている。
【００４６】
各突条１３の後斜面１３ｂは、光源部４から出射した直接光４０が後斜面１３ｂに当たると光源部４に向かって反射するように傾斜している。
【００４７】
また、各突条１３の前斜面１３ａの傾斜角θは、フード本体１２の内周面１２ａの後端（その位置Ａ）から各突条１３（詳述すると各突条１３の頂稜部１３ｃ）までの距離ｄが長くなるのに従って漸次減小しており、これにより、各突条１３の前斜面１３ａの傾斜角θは、光源部４から各突条１３（詳述すると各突条１３の頂稜部１３ｃ）までの距離が長くなるのに従って漸次減小している。
【００４８】
さらに、複数の突条１３のピッチＰは、フード本体１２の内周面１２ａの後端（その位置Ａ）から前方へ進む方向において漸次増大しており、これにより、複数の突条１３のピッチＰは、光源部４から各突条１３（詳述すると各突条１３の頂稜部１３ｃ）までの距離が長くなるのに従って漸次増大している。
【００４９】
本実施形態のスポットライト１の使用方法は、従来のスポットライトと同じである。
【００５０】
本実施形態のスポットライト１では、フード１１のフード本体１２は、その周方向に二つの分割片１５、１５に分割されるとともに、両分割片１５、１５が円筒状に組み合わされて構成されているから、フード本体１２を例えば金型を用いた製造方法により製造できるようにするためのフード本体１２の形状に制約を受けにくくすることができる。すなわち例えば各分割片１５を射出成形により製造する場合には、製造される分割片１５の内周面に金型のコア部を抜くための抜き勾配を付ける必要がない。
【００５１】
したがって、本実施形態のフード１１のように、複数の突条１３の頂稜部１３ｃ位置の内径が互いに等しく設定されているフード本体１２であっても、これを射出成形により容易に製造することができ、これによりフード１１の生産性を高めることができる。さらに、フード本体１２の肉厚を薄く設定することができ、そのため、フード本体１２（フード１１）の軽量化、材料コストの削減、放熱性の向上などを図りうる。
【００５２】
さらに、フード本体１２を構成する二つの分割片１５、１５は互いに同形及び同寸であるから、分割片１５の種類を区別しないで二つの分割片１５、１５を円筒状に組み合わせることができ、これにより分割片１５、１５の組付け作業を容易に行うことができる。さらに、一種類の金型で分割片１５を製造することができる。
【００５３】
さらに、二つの分割片１５、１５が円筒状に組み合わされた状態でフード外筒体１７に内嵌されているので、フード本体１２が不慮に分解されるのを防止できる。
【００５４】
さらに、フード本体１２の各突条１３の断面形状は三角形状であり、各突条１３の前斜面１３ａは光源部４から出射した直接光４０が当たらないように傾斜しており、各突条１３の後斜面１３ｂは光源部４から出射した直接光４０が光源部４に向かって反射するように傾斜しているので、各突条１３の前斜面１３ａを光りにくくすることができるし、各突条１３の後斜面１３ｂで反射する反射光のフード本体内周面１２ａへの照り返しを抑制できる。これにより、スポットライト１を目立たなくすることができる。
【００５５】
さらに、各突条１３の前斜面１３ａの傾斜角θはフード本体１２の内周面１２ａの後端（その位置Ａ）から各突条１３までの距離ｄが長くなるのに従って漸次減小しており、複数の突条１３のピッチＰはフード本体１２の内周面１２ａの後端から前方へ進む方向において漸次増大していることから、光源部４からのグレアの抑制状態を維持しつつ突条１３の数（特にフード本体１２の照射口１４に近い突条１３の数）を減らすことができる。これにより、突条１３の頂稜部１３ｃで反射する線状反射光でスポットライト１が目立つようになるのを確実に抑制することができる。
【００５６】
すなわち、一般にグレア抑制用突条１３の断面形状が三角形状である場合、フード本体１２内において各突条１３の頂稜部１３ｃで反射した反射光が照射口１４から出て人の視野に入ると、当該人にはフード本体１２の内周面１２ａに各突条１３の頂稜部１３ｃに沿って延びた線状の反射光が見え、この線状反射光によってスポットライト１が目立つようなる。しかるに、本実施形態のフード本体１２では、突条１３の数（特にフード本体１２の照射口１４に近い突条１３の数）を減らすことができるので、人の視野に入る線状反射光の数を減らすことができ、これにより、スポットライト１を確実に目立たなくすることができる。
【００５７】
また、フード１１においては、フード本体１２の両分割片１５、１５の外周面全体が覆われた状態に両分割片１５、１５がフード外筒体１７に内嵌されているので、フード本体１２の分割面Ｓ（即ち両分割片１５、１５同士の合わせ面）間からの漏出光をフード外筒体１７によって遮蔽することができ、これにより、スポットライト１をより確実に目立たなくすることができる。
【００５８】
以上で本発明の一実施形態について説明したが、本発明は上記実施形態に限定されるものではなく、本発明の要旨を逸脱しない範囲で様々に変更可能である。
【００５９】
また、本発明に係る照明器具は、上記実施形態に示したようにスポットライトであることが望ましいが、スポットライトであることに限定されるものではなく、その他に例えばダウンライトであっても良い。
【産業上の利用可能性】
【００６０】
本発明はフードを備えた照明器具及びその製造方法に利用可能である。
【符号の説明】
【００６１】
１：スポットライト（照明器具）
４：光源部
１１：フード
１２：フード本体
１３：グレア抑制用突条
１３ａ：突条の前斜面
１３ｂ：突条の後斜面
１３ｃ：突条の頂稜部
１４：照射口
１５：分割片
１７：フード外筒体
４０：直接光
Ｑ０：光源部の中心光軸
Ｑ１：フード本体の中心軸
【図１】
0006698376.tif 000002
【図２】
0006698376.tif 000003
【図３】
0006698376.tif 000004
【図４】
0006698376.tif 000005